(57)【要約】      （修正有）【課題】乳幼児や高齢者等を連れての外出時に、適切なタイミングで上着などの衣類を着せたり脱がせたりするために、乳幼児や高齢者等の衣類を適切な形態で携行するためのハンガーを提供する。【解決手段】一対のハンガーアーム２の基部を開閉可能に支着し、拡開固定機構を備えたハンガー保持構造体１と、その上端を回動可能に係着する保持フレームと、前記ハンガー保持構造体に着合し吊下げフレーム４を介して所要の吊下げ形態で、任意の部位に取り付ける取付けベルト５とで構成し、装飾要素を加えて携帯用アクセサリーハンガーに構成した。【選択図】図１
2015171396.tif 000002
【特許請求の範囲】
【請求項１】
一対のハンガーアームの基部を開閉可能に支着し、その拡開固定機構を備えたハンガー保持構造体と、その上端を回動可能に係着する保持フレームと、前記ハンガー保持構造体に着合し吊下げフレームを介して所要の吊下げ形態で、任意の部位に取り付ける取付けベルトとから成る携帯用アクセサリーハンガー
【請求項２】
ハンガーアームの基部を開閉可能に支着する拡開固定機構を、コの字型に折曲して前後を覆うハンガー保持構造体内部の左右両側に、一対のハンガーアームの基部をそれぞれ軸支する支軸を設定すると共に、各ハンガーアームの基部に支軸を挿通して水平方向に摺動させる支軸摺動溝孔を設け、ハンガー保持構造体の下端中央部にハンガーアーム拡開時にハンガーアームの内側基端下側部を支持する固定体を設定し、両ハンガーアームを拡開すると共に、両支軸をハンガー保持構造体の中央部に向けて両側から前記固定体上に達するまで水平方向に摺動させ、ハンガーアーム内側基端下側部を前記固定体上に支持させることにより、固定体と支軸によってハンガーアームを水平に支持してハンガーアームを拡開固定するようにした請求項１記載の携帯用アクセサリーハンガー
【請求項３】
ハンガーアームの各基部に設定する支軸摺動溝孔に、外側端部において屈曲して支軸を係止する係止部を設けると共に、ハンガーアーム内側基端下側部に嵌合突起を設け、ハンガー保持構造体の下端中央部に設定する固定体に上記嵌合突起を嵌入する拡開固定孔をそれぞれ設定し、両ハンガーアームを拡開すると共に、支軸を水平方向に摺動させ、屈曲係止部に嵌合させ、嵌合によって下降するハンガーアームの前記嵌合突起を前記拡開固定孔に嵌入させてハンガーアームを拡開固定するようにした請求項１又は請求項２記載の携帯用アクセサリーハンガー
【請求項４】
ハンガー保持構造体の上端を回動可能に係着する保持フレームを、ハンガー保持構造体に対して水平方向に回動可能に係着する係着軸を保持杆とハンガー保持構造体の上端に挿通着合させ、保持杆の両端は、上辺に取付けベルトを挿通する下向きコ字片と、その上辺から下垂する両側辺の下端に穿設された通孔に両端を回動可能に遊嵌する保持杆とによって構成し、コ字片の上辺に挿通された取付けベルトがハンガー保持構造体に対して前後方向に自在に回動するようにした請求項１又は請求項２又は請求項３記載の携帯用アクセサリーハンガー
【請求項５】
ハンガー保持構造体の外殻体を、幼児の興味を惹くキャラクター動物や鳥の顔、その両側に開閉可能に基部を支着されるハンガーアームをその動物の前脚や鳥の翼に擬した彩画、形状に構成した請求項１又は請求項２又は請求項３又は請求項４記載の携帯用アクセサリーハンガー
【請求項６】
ハンガー保持構造体の外殻体にリボン、花等のテーマアクセサリーを貼着し、その両側に開閉可能に基部を支着されるハンガーアームに前記テーマアクセサリーと関連するデザインや彩画、形状に統合構成した請求項１又は請求項２又は請求項３又は請求項４記載の携帯用アクセサリーハンガー
【発明の詳細な説明】
【技術分野】
【０００１】
本発明は、適切な温度調整を必要とする乳幼児や高齢者、要介護人を連れての外出移動時に、審美的に問題のない状態で、ベビーカーや車椅子、或いはキャスター付きトランク等に取り付けて携行でき、使用時にハンガーアームを両側に拡開張出させて、上着などを掛架して携帯し、適切なタイミングで上着などの衣類を着せたり脱がせたりできるようにした携帯用アクセサリーハンガーに関するものである。
【背景技術】
【０００２】
外出時における上着の脱ぎ着は、成人の場合でも、肩に掛けたり手に抱えたりで上着の処理に困ることが多い。特に、乳幼児を連れての外出には、適切なタイミングで上着などの衣類を着せたり脱がせたりする必要があり、携行品も多いため脱がせた上着を一時的に畳んだり丸めたりして鞄等に入れたり、或いは、ベビーカーや車椅子のハンドルに引っ掛けたり手で抱えたりしなければならない。
【０００３】
このように脱いだ上着を、また着る必要がある場合、一時的に畳んだり丸めたりすれば、上着が汚れたり皺になったりすることを避けることはできない。このため、例えば、特許文献１記載発明のように上着を確実に保持し鞄と共に片手で持ち運びできる携帯用ハンガーの提案がなされている。
【０００４】
また、上着を脱いで手で持たず鞄と一緒に持ち運んだり肩から掛けたりする際の携帯用ハンガーとして特許文献２記載のような提案、更に、濡れたタオル等を室内に保持するときに、床や絨毯等を濡らしたり汚したりすることがないようにすると共に、各部品を分解し、コンパクトな状態で持ち運べるようにする特許文献３記載発明のような提案もなされている。
【先行技術文献】
【特許文献】
【０００５】
【特許文献１】特開２００４−１１３４４６号公報
【特許文献２】特開２００２−５８５８４号公報
【特許文献３】特開２００４−１８１２１４号公報
【発明の概要】
【発明が解決しようとする課題】
【０００６】
しかしながら、乳幼児や高齢者等を連れての外出時には、特許文献１記載のように鞄と共に片手で持ち運ぶといったことは困難であり、特許文献２記載のように介護人である大人の身体に固定してしまったのでは、介護人の行動が制約され、適切なタイミングで上着などの衣類を着せたり脱がせたりすることが困難といった問題がある。
【０００７】
特許文献３記載発明は、複雑な分解作業や組み立て作業が必要なものであり、乳幼児や高齢者等を連れての外出という目的に対応できない。更に、特許文献１、２記載の発明はハンガー自体をコンパクトにするものではなく、特許文献３記載の発明は濡れたタオル等を室内に保持することとハンガー自体の携帯移動を主目的とするものでしかない。
また、何れも、携行時の美観や体裁についての配慮がなされていない問題がある。
【０００８】
本発明は、乳幼児や高齢者等を連れての外出時に、適切なタイミングで上着などの衣類を着せたり脱がせたりするために、乳幼児や高齢者等の衣類を適切な形態で携行するためのハンガーを提供することを目的とするもので、乳幼児については身近な動物やアニメキャラクターに対する興味を介して衣類を着せたり脱がせたりする作業をし易くする一方、高齢者等についてもリボン、花等のテーマアクセサリーを通じて衣類携行に対する嫌悪感を和らげ、適切なタイミングで上着などの衣類を着せたり脱がせたりしての体温調整にも対応しようとするものである。
【課題を解決するための手段】
【０００９】
本発明は上記した課題に対応しようとするものであり、一対のハンガーアームの基部を開閉可能に支着し、拡開固定機構を備えたハンガー保持構造体と、その上端を回動可能に係着する保持フレームと、前記ハンガー保持構造体に着合し吊下げフレームを介して所要の吊下げ形態で、任意の部位に取り付ける取付けベルトとから成る携帯用アクセサリーハンガーに構成し、吊下げフレームを介して所要の吊下げ形態で、任意の部位に取り付ける取付けベルトによってベビーカーや車椅子、或いはキャスター付きトランク等に取り付けて無理なく携行し、衣類を任意のときにハンガーに掛け、或いは、ハンガーから外して着用できるようにした。
【００１０】
また、ハンガー保持構造体の外殻体を、幼児の興味を惹くキャラクター動物や鳥の顔、両側に枢支されるハンガーアームをその動物の前脚や鳥の翼に擬した彩画、形状に構成し、乳幼児については身近な動物やアニメキャラクターに対する興味を介して衣類を着せたり脱がせたりする作業をし易くすると共に、アクセサリー的要素に幼児に対する玩具的要素も加えるようにした。
【００１１】
更に、ハンガー保持構造体の外殻体にリボン、花等のテーマアクセサリーを貼着し、両側に枢支されるハンガーアームに前記テーマアクセサリーと関連するデザインや彩画、形状に統合構成し、ハンガー携行者自身や高齢者等についてもリボン、花等のテーマアクセサリーを通じて衣類携行に対する嫌悪感を和らげるように構成した。
【発明の効果】
【００１２】
本発明は上記のように構成したので、ハンガー保持構造体の両側に支着され、テーマアクセサリーと関連するデザインや彩画、形状に統合構成されたハンガーアームを閉じた状態においては、ハンガー保持構造体の外殻体に貼着されたテーマアクセサリーと相俟って一つのアクセサリーを構成し、ベビーカーや車椅子、或いはキャスター付きトランク等に取り付けて携行しても違和感を生じさせることがなく、美的感覚に迎合できる。
【００１３】
また、テーマアクセサリーの選択によって玩具的要素を加えることができ、乳幼児については身近な動物やアニメキャラクターに対する興味を介して衣類を着せたり脱がせたりする作業をし易くし、高齢者等についてもリボン、花等のテーマアクセサリーを通じて衣類携行に対する嫌悪感を和らげ、適切なタイミングで上着などの衣類を着せたり脱がせたりしての体温調整にも対応できる。
【００１４】
また、本発明によるハンガー保持構造体は、上端にハンガー保持構造体に対して水平方向に回動可能に係着する保持杆が着合し、保持杆の両端は、上辺に取付けベルトを挿通するコ字片の上辺から下垂する両側辺の下端に穿設された通孔に回動可能に遊嵌され、コ字片の上辺に挿通された取付けベルトが保持杆に対して前後方向に自在に回動する。
【００１５】
このように構成されたコ字片と下端に遊嵌する保持杆が吊下げフレームを構成し、吊下げフレームの上辺に挿通された取付けベルトが、吊下げフレームを介して所要の吊下げ形態で、ベビーカーや車椅子、或いはキャスター付きトランク等の任意の部位に取り付けられるので、取付部位に対して側方にフリー状態で吊下げられると共に、取付けベルトを挿通着脱する保持体上端の保持フレームが保持体に対して回動自在に着合されており、吊り下げ物を自由な方向に向けることができ、取付けベルトは保持フレームを挿通しているだけで固定要素がないので前後方向にも自在な動きが確保されている。
【００１６】
本発明は、上記の構成により、吊下げ物に無理な規制を加えることなく、自在な動きを確保したので、例えば、電車の中などでは、拡開し衣類を掛架したハンガーアームを人のいない方向に向け、他人に迷惑を掛けないようにする配慮もできるほか、ハンガーアームの開閉を自由な方向からできるので、衣類の掛脱を容易に行うことができる。
【００１７】
携帯用ハンガーを単なる携行具とした場合、その商品的魅力は利便性のみに依拠する硬いものとなってしまうが、ハンガー保持構造体とハンガーアーム，更には、取付けベルトに色彩的工夫やアクセサリー的要素を加えるようにすることにより、色彩や形態に対する関心をも惹くことができ、利便性とは異なった面での商品的魅力を付加することができる。
【図面の簡単な説明】
【００１８】
【図１】本発明による携帯用アクセサリーハンガーの実施例を示すもので、ハンガー保持構造体の外殻表部の前面を切欠してハンガーアームの拡開固定機構の一例を、アームを直状のものとして示す閉窄状態におけるハンガー保持構造体のハンガーアーム基部支着構造部の正面図
【図２】同じく、図1の携帯用アクセサリーハンガーのハンガーアームを持ちあげ、拡開させた状態におけるハンガーアーム基部支着構造部の正面図
【図３】同じく、本発明による携帯用アクセサリーハンガーの他の実施例を示すもので、ハンガーアームの支軸摺動溝孔に屈曲係止部を設け、内側基端下側部に嵌合突起、これに対応してハンガー保持構造体の下端中央部の固定体に上記嵌合突起を嵌入する拡開固定孔を設定した実施例により、ハンガー保持構造体の外殻表部の前面を切欠してハンガーアームの拡開固定機構を、アームを直状のものとして示す閉窄状態におけるハンガー保持構造体のハンガーアーム基部支着構造部の正面図
【図４】同じく、図３の携帯用アクセサリーハンガーのハンガーアームを拡開する方向に持ちあげた状態におけるハンガーアーム基部支着構造部の正面図
【図５】同じく、図３の携帯用アクセサリーハンガーのハンガーアームを水平状態に拡開して支軸を摺動溝孔に嵌入させ、水平方向への摺動を可能な状態におけるハンガーアーム基部支着構造部の正面図
【図６】同じく、図３の携帯用アクセサリーハンガーのハンガーアームの支軸を屈曲係止溝孔に嵌入係止すると共に、アーム下端の嵌合突起を固定体の拡開固定孔に嵌入して拡開固定した状態におけるハンガーアーム基部支着構造部の正面図
【図７】同じく、取付けベルトと吊下げフレームによる携帯用アクセサリーハンガーの吊下げ構造を、所要部を切欠して内部構造を示すようにしたハンガー保持構造体上端の要部拡大正面図
【図８】同じく、テーマアクセサリーを幼児向け動物「くまさん」とした携帯用アクセサリーハンガーのハンガーアームを閉窄状態とした全体斜視図
【図９】同じく、図８の携帯用アクセサリーハンガーのハンガーアームを拡開状態とした全体斜視図
【図１０】同じく、テーマアクセサリーを幼児向け動物「とりさん」とした携帯用アクセサリーハンガーのハンガーアームを閉窄状態とした全体斜視図
【図１１】同じく、図１０の携帯用アクセサリーハンガーのハンガーアームを拡開状態とした全体斜視図
【図１２】同じく、テーマアクセサリーを幼児向け玩具「電車」とした携帯用アクセサリーハンガーのハンガーアームを閉窄状態とした全体斜視図
【図１３】同じく、図１２の携帯用アクセサリーハンガーのハンガーアームを拡開状態とした全体斜視図
【図１４】同じく、テーマアクセサリーを「りぼん」とした携帯用アクセサリーハンガーのハンガーアームを閉窄状態とした全体斜視図
【図１５】同じく、図１４の携帯用アクセサリーハンガーのハンガーアームを拡開状態とした全体斜視図
【図１６】同じく、図８の携帯用アクセサリーハンガーをベビーカーに取付けた状態を示す全体斜視図
【図１７】同じく、図１４の携帯用アクセサリーハンガーをショッピングバッグに取付けた状態を示す全体斜視図
【発明を実施するための形態】
【実施例１】
【００１９】
以下、図面を参照して本発明の実施の形態について詳細に説明すると、１はハンガー保持構造体で、板体をコの字型に折曲して前後を覆う外殻１１内の中央部に両側に張出して衣類を掛架するハンガーアーム２，２が開閉可能に支着されている。
【００２０】
ハンガー保持構造体１の上端頂部は、外殻１１の天板１５の中心部に穿設された貫通孔と、吊下げフレーム４の下端に両端を回動可能に支持される保持杆４１の中孔４２とを挿通して上下の止着体４３,４４によって止着される係着軸４５が、ハンガー保持構造体１と吊下げフレーム４とを互いに水平方向に回動可能に係着する。
【００２１】
更に、前記保持杆４１は、吊下げフレーム４の下端に４１ａ、４１ａによって両端を回動可能に支持されているので、吊下げフレーム４のコ字片４６の上辺に挿通された取付けベルト５が保持杆４１に対して前後方向に自在に回動するもので、着脱可能に着合する所要の吊下げ形態で、任意の部位に取り付ける取付け具と結合する。
【００２２】
取付けベルト５は、皮、フェイクレザー、ビニール等の素材により、一端を吊下げフレーム４に挿通して雌側のスナップボタンで固着すると共に、他端に雄ボタンを設定して、ベルトを折り曲げて雌ボタンに嵌めれば、ベビーカー等の被着体にしっかりと取り付けでき、はずれる心配もなく、取り外しも簡単である。
【００２３】
なお、取付けベルト５の吊下げフレーム４への挿通後の端部接合は上記スナップボタンによる固着に限らず、面ファスナーなどによって着脱可能にし、腰に差し込む装着具や肩掛け紐などの媒体装着具に接合できるようにすれば、利用範囲を更に広げることができる。
【００２４】
また、ハンガー保持構造体１の内部に支着されるハンガーアーム２、２の基部２１,２１には、ハンガー保持構造体１の内部の左右両側に設定された、ハンガーアームの基部２１,２１をそれぞれ軸支する支軸１２、１２を挿通して水平方向に摺動させる支軸摺動溝孔２２が設けられ、ハンガー保持構造体1の下端中央部にハンガーアーム２,２の拡開時に各ハンガーアームの内側基端下側部を支持する固定体１３が設定される。
【００２５】
ハンガーアーム２、２を拡開する場合には、両ハンガーアームの先端を持ち挙げて拡開すると共に、支軸摺動溝孔２２によって各支軸１２、１２をハンガー保持構造体１の中央部に向けて両側から各ハンガーアームの基端部が固定体1上に達するまでハンガーアームを水平方向に摺動させ、ハンガーアーム内側基端下側部を前記固定体上に支持させることにより、固定体１３と支軸１２によってハンガーアームを水平に支持してハンガーアームを拡開固定する。
【００２６】
閉窄する場合には、両ハンガーアームの先端を外側に引いて、各内側基端下側部を固定体１３上から外し、更に、支軸摺動溝孔２２によって各支軸１２、１２を各内側端まで摺動させると共に、両ハンガーアームの先端を下側に回動させて閉窄する。
【実施例２】
【００２７】
実施例２は、ハンガーアームの各基部２１,２１に設定する支軸摺動溝孔２２に、外側端部において屈曲して支軸を係止する係止部２２ａを設けると共に、ハンガーアーム内側基端下側部に嵌合突起２３を設け、ハンガー保持構造体の下端中央部に設定する固定体１３に上記嵌合突起２３を嵌入する拡開固定孔１４、１４をそれぞれ設定し、両ハンガーアームを拡開すると共に、支軸摺動溝孔２２によって支軸１２を水平方向に摺動させ、屈曲係止部２２ａに嵌合させ、嵌合によって下降するハンガーアーム２,２の各嵌合突起２３を拡開固定孔１４に嵌入させてハンガーアームを拡開固定するものである。
【００２８】
ハンガーアーム２,２を拡開する場合には、ハンガーアーム２,２を拡開方向に持ちあげると共に、支軸摺動溝孔２２に沿って、支軸１２をそれぞれ水平方向に摺動させ、屈曲係止部２２ａに嵌合させ、嵌合によって下降するハンガーアームの嵌合突起２３を拡開固定孔１４、１４に嵌入させてハンガーアームを拡開固定する。
【００２９】
ハンガーアーム２,２を閉窄する場合には、拡開状態のハンガーアーム２,２を持ちあげて嵌合突起２３を拡開固定孔１４、１４から抜去する。この時、嵌合突起２３の上方にある支軸１２が屈曲係止部２２ａの上端に当たってハンガーアーム２を上方に移動出来なくなることを避けるため、屈曲係止部２２ａの縦孔は嵌合突起２３を固定孔１４から抜くことができるように上方に余裕を持たせて形成される。
【００３０】
なお、ハンガーアームの開閉支着構造については、必ずしも以上のような構成を採る必要はなく、例えば、ハンガーアーム２，２が開閉可能に支着する手段は、アームの支着基部をそれぞれ２分の１ずつの厚さによる回動軌跡スペースとする凹陥摺動面を相互に嵌め合って重合させ、重合部に支軸の螺子杆を設定し、拡開度を設定した後、蝶螺子によって重合軸支部を螺締する等の方法もあり、長短はあるものの様々な構成形態を採ることができるので、支着手段は前記の各方法に限定されるものではない。
【実施例３】
【００３１】
以上のように構成した携帯用アクセサリーハンガーは、中央部に位置するハンガー保持構造体１の表面に、図８、図９に示すように幼児に親しみ易い「くまさん」の頭部３を貼付け、ハンガーアーム２,２を上記「くまさん」の前足に擬して全体として幼児向けの玩具的要素を加えた携帯用アクセサリーに仕上げたものである。
【実施例４】
【００３２】
実施例４は、中央部に位置するハンガー保持構造体１の表面に、図１０、図１１に示すように幼児に親しみ易い「とりさん」の頭部３１を貼付け、ハンガーアーム２,２を上記「とりさん」の羽根に擬して全体として幼児向けの玩具的要素を加えた携帯用アクセサリーに仕上げたものである。
【実施例５】
【００３３】
実施例５は、中央部に位置するハンガー保持構造体１の表面に、図１２、図１３に示すように男の幼児に親しみ易い「電車」の車輌部３２を貼付け、ハンガーアーム２,２を上記「電車」の先頭運転車輌、後尾車輌に擬して全体として幼児向けの玩具的要素を加えた携帯用アクセサリーに仕上げたものである。
【実施例６】
【００３４】
実施例６は、中央部に位置するハンガー保持構造体１の表面に図１４、図１５に示すように女の幼児向け、或いは一般の装飾アクセサリーとして用いられる「リボン」の結び目３３を貼付け、ハンガーアーム２,２を上記「リボン」のリボンテープの端部に擬して全体として女児向け玩具或いは一般装飾的要素を加えた携帯用アクセサリーに仕上げたものである。
【産業上の利用可能性】
【００３５】
本発明に係る携帯用アクセサリーハンガーは、幼児や高齢者、要介護者等の上着等衣類の携行用具としてベビーカー、車椅子等の付設用品としてだけでなく、アクセサリー的な商品要素もおもちゃ的な商品要素も備えるもので、ベビーカー、車椅子等の販売産業、アクセサリー産業、おもちゃ産業上にも高度の利用価値を有するものである。
【符号の説明】
【００３６】
１      ハンガー保持構造体
１１    ハンガー保持構造体の外殻
１２    ハンガー保持構造体の覆板
１３    アーム拡開固定体
１４    アーム拡開固定孔
１５    ハンガー保持構造体外殻の天板
２      ハンガーアーム
２１    ハンガーアームの支着基部
２２    ハンガーアーム支軸摺動溝孔
２２ａ  ハンガーアーム支軸摺動溝孔の支軸係止部
２３    ハンガーアーム内側基端下側部の嵌合突起
３      ハンガー保持構造体の表面に貼付する「くまさん」の頭部
３１    ハンガー保持構造体の表面に貼付する「とりさん」の頭部
３２    ハンガー保持構造体の表面に貼付する「電車」の車輌部
３３    ハンガー保持構造体の表面に貼付する「リボン」の結び目
４      吊下げフレーム
４１    吊下げフレーム下端の保持杆
４１ａ  保持杆両端の支持軸
４２    保持杆の中孔
４３    保持杆の中孔に挿通する係着軸の上部止着体
４４    保持杆の中孔に挿通する係着軸の下部止着体
４５    保持杆の中孔に挿通する係着軸
４６    吊下げフレームの上辺を構成するコ字片
５      取付けベルト
【図１】
2015171396.tif 000003
【図２】
2015171396.tif 000004
【図３】
2015171396.tif 000005
【図４】
2015171396.tif 000006
【図５】
2015171396.tif 000007
【図６】
2015171396.tif 000008
【図７】
2015171396.tif 000009
【図８】
2015171396.tif 000010
【図９】
2015171396.tif 000011
【図１０】
2015171396.tif 000012
【図１１】
2015171396.tif 000013
【図１２】
2015171396.tif 000014
【図１３】
2015171396.tif 000015
【図１４】
2015171396.tif 000016
【図１５】
2015171396.tif 000017
【図１６】
2015171396.tif 000018
【図１７】
2015171396.tif 000019
【手続補正書】
【提出日】平成27年5月11日(2015.5.11)
【手続補正１】
【補正対象書類名】特許請求の範囲
【補正対象項目名】請求項１
【補正方法】変更
【補正の内容】
【請求項１】
コの字型に折曲して前後を覆うハンガー保持構造体内部の中央部に、一対のハンガーアームの基部を開閉可能に支着し、前記ハンガー保持構造体の上端を、前記コの字型折曲によって構成される天板の貫通孔と、吊下げフレームの下端に前後方向に回動可能に支持される保持杆の中孔とを挿通する上下の止着体によって水平方向に回動可能に係着する保持リングと、前記ハンガー保持構造体に着合し吊下げリングを介して所要の吊下げ形態で、任意の部位に取り付ける取付けベルトとから成る携帯用アクセサリーハンガー